(57)【要約】    【目的】有料コンテンツに接触するためのアクセス情報をカードなどに印刷あるいは記録しておき、そのカードなどを実店舗で販売することによって、有料コンテンツの代金を予め回収するとともに、ユーザにとっては個人情報が漏洩する恐れがなく、簡便に有料コンテンツを利用できる。    【構成】複数のＵＲＬナンバーを記録したＵＲＬ情報データベースと、前記ＵＲＬナンバーに対応するＵＲＬの有料コンテンツを記録したコンテンツ情報データベースとを備え、前記ＵＲＬ情報データベースの情報に基づき、ランダムにＵＲＬナンバーを記録したカードをユーザに配布するとともに、前記ＵＲＬナンバーをインターネットを介して入力したとき、前記ＵＲＬ情報データベースの記録を参照し、前記ＵＲＬナンバーが記録されている場合に前記コンテンツ情報データベースの前記ＵＲＬナンバーに対応する固有のＵＲＬの有料コンテンツに接触できるようにしたことを特徴とする。【選択図】  図２
2007072926.tif 000002
【特許請求の範囲】
【請求項１】
複数のＵＲＬナンバーを記録したＵＲＬ情報データベースと、前記ＵＲＬナンバーに対応するＵＲＬの有料コンテンツを記録したコンテンツ情報データベースとを備え、前記ＵＲＬ情報データベースの情報に基づき、ランダムにＵＲＬナンバーを記録したカードをユーザに配布するとともに、前記ＵＲＬナンバーをインターネットを介して入力したとき、前記ＵＲＬ情報データベースの記録を参照し、前記ＵＲＬナンバーが記録されている場合に前記コンテンツ情報データベースの前記ＵＲＬナンバーに対応する固有のＵＲＬの有料コンテンツに接触できるようにしたことを特徴とする有料コンテンツの料金回収システム。
【請求項２】
前記ユーザのパスワードおよび携帯電話の固有識別子を記録するためのユーザ情報データベースを備えるとともに、前記パスワードおよび／または携帯電話の固有識別子が記録されていないとき、前記有料コンテンツに接触できないようにしたことを特徴とする請求項１記載の有料コンテンツの料金回収システム。
【請求項３】
前記ユーザの接触回数の総量および／または接触時間の総量および／または接触日時の総量および／または接触有効日時を記録するユーザ使用情報データベースを備えるとともに、前記ＵＲＬ情報データベースに前記ＵＲＬナンバーの最大使用回数および／または使用時間および／または使用日時の総量および／または接触日時を記録しておき、前記ユーザ使用情報データベースの前記接触回数の総量および／または接触時間の総量および／または接触日時の総量および／または接触日時が前記最大使用回数および／または使用時間および／または使用日時の総量および／または接触日時を上回ったとき、前記有料コンテンツに接触できないようにしたことを特徴とする請求項１または２記載の有料コンテンツの料金回収システム。
【請求項４】
前記ＵＲＬナンバーは、前記カードに文字あるいはコードで印刷されていることを特徴とする請求項１から３記載のいずれかの有料コンテンツの料金回収システム。
【発明の詳細な説明】
【技術分野】
【０００１】
本発明はパソコンおよび携帯電話によって接触する有料コンテンツの料金回収システムに関する。
【背景技術】
【０００２】
パソコンおよび携帯電話において、インターネットを介して有料コンテンツに接触することが盛んになってきている。この場合、コンテンツ提供者は、クレジットカードあるいは電子マネーを使用したネット上の決済で行うか、通信業者あるいはその代行業者による料金の回収、さらには代金引き換えによる決済しかないのが現状である。
【発明の開示】
【発明が解決しようとする課題】
【０００３】
クレジットカードあるいは電子マネーによる決済方法によれば、有料コンテンツの提供業者にとっては代金の未収が少なく有効な方法であるが、一方、コンテンツユーザにとっては個人情報が流出する危険がある。また、通信業者あるいは代行業者による回収は、定額の場合が多く、解約も面倒なため、ユーザにとって不親切であるという欠点があった。
【０００４】
さらに、代金引き換えの場合には、商品を引き取りに来なかったり、拒否された場合の代金負担の危険を生じていた。また、通信業者あるいは代行業者による回収では、未回収のリスクがあるため必然的に代行手数料が高くなり依頼主である有料コンテンツ提供業者にとって負担が重くなっていた。
【０００５】
本発明は上述の課題を解決するためになされたものであり、有料コンテンツに接触するためのアクセス情報をカードなどに印刷あるいは記録しておき、そのカードなどを実店舗で販売することによって、有料コンテンツの代金を予め回収するとともに、ユーザにとっては個人情報が漏洩する恐れがなく、簡便に有料コンテンツを利用できる。
【課題を解決するための手段】
【０００６】
上記課題を解決するため、本発明による有料コンテンツの料金回収システムは、複数のＵＲＬナンバーを記録したＵＲＬ情報データベースと、前記ＵＲＬナンバーに対応するＵＲＬの有料コンテンツを記録したコンテンツ情報データベースとを備え、前記ＵＲＬ情報データベースの情報に基づき、ランダムにＵＲＬナンバーを記録したカードをユーザに配布するとともに、前記ＵＲＬナンバーをインターネットを介して入力したとき、前記ＵＲＬ情報データベースの記録を参照し、前記ＵＲＬナンバーが記録されている場合に前記コンテンツ情報データベースの前記ＵＲＬナンバーに対応する固有のＵＲＬの有料コンテンツに接触できるようにしたことを特徴とする。
【発明の効果】
【０００７】
本発明によれば、ＵＲＬナンバーを記録したカードを有料あるいは無料で配付し、このカードに記載されたＵＲＬナンバーをパソコンあるいは携帯電話でインターネットを介して入力することにより、前記有料コンテンツに接触できるようにしたため、有料コンテンツの提供者にとっては、代金回収の心配がなく、一方ユーザにとっても個人情報が漏洩する恐れがなく、簡便に有料コンテンツを使用可能であるという利点を生じる。
【発明を実施するための最良の形態】
【０００８】
本発明による好ましい形態においては、前記ユーザのパスワードおよび携帯電話の固有識別子を記録するためのユーザ情報データベースを備えるとともに、前記パスワードおよび／または携帯電話の固有識別子が記録されていないとき、前記有料コンテンツに接触できないようにしたことを特徴とする。
【０００９】
さらに、好ましい形態においては、前記ユーザの接触回数の総量および／または接触時間の総量および／または接触日時の総量および／または接触有効日時を記録するユーザ使用情報データベースを備えるとともに、前記ＵＲＬ情報データベースに前記ＵＲＬナンバーの最大使用回数および／または最大使用時間および／または最大使用日時の総量および／または接触日時を記録しておき、前記ユーザ使用情報データベースの前記接触回数の総量および／または接触時間の総量および／または接触日時の総量および／または接触日時が前記最大使用回数および／または使用時間および／または使用日時の総量および／または接触日時を上回ったとき、前記有料コンテンツに接触できないようにしたことを特徴とする。
【００１０】
また、前記ＵＲＬナンバーは、前記カードに文字あるいはコードで印刷されていることを特徴とする。
【実施例】
【００１１】
図１は本発明による一実施例の装置構成を示した概略図であるが、この図より明らかなように、本発明による有料コンテンツの料金回収システムは、複数のＵＲＬナンバーを記録したＵＲＬナンバー情報データベース１と前記ＵＲＬナンバーに対応する固有のＵＲＬの有料コンテンツを記録したコンテンツ情報データベース２とを備えている。
【００１２】
そして前記ＵＲＬナンバー情報データベース１に記録された情報に基づきランダムに前記ＵＲＬナンバー情報データベース１に記録されたＵＲＬナンバーをカードに印刷するようになっている。このＵＲＬナンバーは実際の文字であってもよく、またたとえば２次元コードなどのようなコードであってもよい。このようなカードは、コンビニ等の実店舗で販売し、あるいは宣伝用に無料で頒布してもよい。
【００１３】
前記ＵＲＬナンバー情報データベース１には、前記ＵＲＬナンバーの他に、前記ＵＲＬナンバーの属性が記録されている。すなわち前記ＵＲＬナンバーのユーザが有料コンテンツを使用可能な最大使用回数および／または使用時間および／または使用日時の総量時間および／または使用回数および／または接触有効日時、その他、前記ＵＲＬナンバーのユーザが使用を制限される条件が記録されている。
【００１４】
本発明においては、前記カードに印刷されたＵＲＬナンバーをパソコンＰＣあるいは携帯電話ＣＰでインターネットＩを介して入力する。制御装置Ｃは前記ＵＲＬナンバーが前記ＵＲＬナンバー情報データベース１に記録されているか否かを参照し、記録されている場合には、コンテンツ情報データベース２に接触できるようにし、一方記録されていない場合は、接触を拒否するようになっている。
【００１５】
この実施例においては、ユーザのパスワードあるいは携帯電話の固有識別子を記録するユーザ情報データベース３と、前記固有のＵＲＬナンバーのユーザが、前記固有のＵＲＬの有料コンテンツを使用した回数および／または使用時間および／または使用日時の総量および／または接触日時を記録するためのユーザ使用情報データベース４とを備えている。
【００１６】
図２は、本発明の有料コンテンツの料金回収システムの具体例を示すフローチャートであるが、まず、前記カードの所有者（ユーザ）が、パソコンあるいは携帯電話より前記カードに記載されたＵＲＬナンバーを入力する（Ｓ１）。前述のようにカードに記載された文字を手入力によって入力しても良く、またカードに印刷されたコードをスキャナーあるいは携帯電話の読み取り装置を使用して入力してもよい。
【００１７】
前記制御装置Ｃは前記ＵＲＬナンバーの情報を受けて、前記ＵＲＬナンバーがＵＲＬナンバー情報データベース１に記録されているか否かを参照する（Ｓ２）。前記ＵＲＬナンバーが情報データベース１に記録されていない場合は、エラー画面（Ｓ３）を表示し、ＵＲＬナンバーの入力画面を表示あるいは接続を遮断する。
【００１８】
前記ＵＲＬナンバーが前記ＵＲＬナンバー情報データベース１に記録されている場合には、情報端末がパソコンであるか否かを判断する（Ｓ４）。パソコンである場合、パソコン専用サイトの画面を表示する（Ｐ１）。携帯電話の場合には後述する（図３）。
【００１９】
前記パソコン専用サイトの画面で、前記ユーザが有料コンテンツに接触しようとしたとき、前記ユーザが初めて接触であるか否かを判断する（Ｐ２）。すなわち制御装置Ｃは、前記ユーザ使用情報データベース４に接触し、前記ユーザの使用回数および／または使用時間および／または使用日時の総量および／または接触日時の記録がない場合には、パスワードの設定画面を表示する（Ｐ３）。
【００２０】
前記ユーザがパスワードを設定すると、固有ＵＲＬナンバーに対応する固有ＵＲＬの有料コンテンツを表示する（Ｐ４）。前記パスワードはユーザ情報データベース３に記録される。また前記固有ＵＲＬの有料コンテンツに接触した場合、前記使用回数および／または使用時間および／または使用日時の総量および／または接触日時をユーザ使用情報データベース４に記録する。
【００２１】
前記ユーザに有料コンテンツを使用した記録がユーザ使用情報データベースに存在するときは（前記ユーザの使用回数および／または使用時間および／または使用日時の総量および／または接触日時が記録されている場合）、パスワードを入力させる（Ｐ５）。前記制御装置Ｃは、ユーザ情報データベース３に接触し、前記パスワードが正しい場合には、ユーザ使用情報データベース４に接触し、有料コンテンツへの使用回数および／または使用時間および／または使用日時の総量および／または接触日時を取得する。さらにＵＲＬナンバー情報データベース１に接触し、前記固有のＵＲＬナンバーのユーザに許容される最大使用回数および／または最大使用時間および／または最大使用日時の総量および／または接触日時を参照し、前記ユーザの利用状況が許容範囲にあるか否かを認証する（Ｐ６）。この認証が許可された場合コンテンツ情報データベース２に記録された固有のＵＲＬの有料コンテンツを表示する（Ｐ４）。このように固有ＵＲＬのコンテンツに接触した場合、前記使用回数および／または使用時間のおよび／または使用日時の総量をユーザ使用情報データベース４に記録する。
【００２２】
前記パスワードが正しくない場合、あるいは前記ユーザの利用状況が設定された利用条件を充足しない場合には、エラー画面（Ｓ３）を表示し、ＵＲＬナンバーの入力画面の表示あるいは接続を遮断する。
【００２３】
Ｓ４で情報端末が携帯電話Ｃであるとされた場合、携帯専用サイトを表示する（Ｃ１：図３参照）。前記ユーザが有料コンテンツに接触しようとしたとき、前記ユーザが初めて接触であるか否かを判断する（Ｃ２）。すなわち制御装置Ｃは、前記ユーザ使用情報データベース４に接触し、使用記録がない場合には、携帯電話の初期登録画面を表示する（Ｃ３）。
【００２４】
前記ユーザが初期登録を承認すると、前記携帯電話の固有識別子はユーザ情報データベース３に記録され、次いで、コンテンツ情報データベース２の固有ＵＲＬナンバーに対応する固有ＵＲＬの有料コンテンツを表示する（Ｃ４）。また前記固有ＵＲＬの有料コンテンツに接触したとき、使用回数および／または使用時間および／または使用日時の総量および／または接触日時をユーザ使用情報データベース４に記録する。
【００２５】
前記ユーザが初期登録を承認しない場合、ＵＲＬ入力画面に戻るか、接触を切断する。
【００２６】
前記ユーザに有料コンテンツを使用した記録がユーザ使用情報データベース４に存在するときは、携帯電話の認証を行う（Ｃ５）。すなわち制御装置Ｃは、ユーザ情報データベース３に接触し、前記携帯電話の固有識別子が記録されているか否かを判断し、前記固有識別子が登録されている場合には、ユーザ使用情報データベース４に接触し、有料コンテンツへの使用回数および／または使用時間および／または使用日時の総量および／または接触日時を取得する。さらにＵＲＬナンバー情報データベース１に接触し、前記固有のＵＲＬナンバーのユーザに許容される最大使用回数および／または使用時間、および／または最大使用日時の総量および／または最大接触日時および／または前記取得した使用回数および／または使用時間および／または使用日時とを参照し、前記ユーザの利用状況が許容範囲にあるか否かを認証する。
【００２７】
この認証が許可された場合、コンテンツ情報データベース２に記録された固有のＵＲＬの有料コンテンツを表示する（Ｃ４）。このようにコンテンツ情報データベース２に記録された固有ＵＲＬのコンテンツに接触した場合、前記使用回数および／または使用時間および／または使用日時の総量および／または接触日時をユーザ使用情報データベース４に記録する。
【００２８】
さらに、前記認証が許可されなかった場合、すなわち固有識別子がユーザ情報データベース３に記録されていなかったとき、あるいは接触許容限度をオーバーしているときには、エラー画面（Ｓ３）を表示し、ＵＲＬナンバーの入力画面を表示するか、あるいは接続を遮断する。
【産業上の利用可能性】
【００２９】
以上のように、本発明によれば、ＵＲＬナンバーを記録したカードを有料あるいは無料で配付し、このカードに記載されたＵＲＬナンバーをＰＣあるいは携帯電話でインターネットを介して入力することにより、前記有料コンテンツに接触できるようにしたため、有料コンテンツの提供者にとっては、代金回収およびリスクの心配がなく、一方ユーザにとっても個人情報が漏洩する恐れがなく、簡便に有料コンテンツを使用可能であるという利点を生じる。
【図面の簡単な説明】
【００３０】
【図１】本発明の有料コンテンツの料金回収システムの装置の構成図。
【図２】情報端末がパソコンであるときのフローチャート。
【図３】情報端末が携帯電話であるときのフローチャート
【符号の説明】
【００３１】
１      ＵＲＬ情報データベース
２      コンテンツ情報データベース
３      ユーザ情報データベース
４      ユーザ使用情報データベース
Ｃ      制御装置
【図１】
2007072926.tif 000003
【図２】
2007072926.tif 000004
【図３】
2007072926.tif 000005